(57)【特許請求の範囲】
【請求項１】
内容物が収容される容器本体と、
前記容器本体の口部に装着されるとともに、前記容器本体内に向けて開口する容器側開口を有する装着筒部と、
前記内容物をストックするストック室を有するとともに、該ストック室内に向けて開口するストック側開口を有するストック筒部と、
前記装着筒部及び前記ストック筒部の間に配置されるとともに、前記容器側開口及び前記ストック側開口に連通可能な連通孔を有し、容器軸方向に交差する交差面上をスライドするスライド部材と、を備え、
前記スライド部材は、前記連通孔を通した前記容器側開口及び前記ストック側開口の間の連通を遮断する待機位置と、
前記連通孔を通して前記容器側開口及び前記ストック側開口の間を連通させ、前記容器側開口を通して前記連通孔内に供給される内容物を、前記ストック側開口を通して前記ストック室内に供給する連通位置と、の間をスライド移動可能に配設され、
前記待機位置に向けて前記スライド部材を復元変位させる付勢手段を備え、
前記ストック筒部には、前記ストック室内にストックされる前記内容物を注出可能に開閉される注出口が形成され、
前記装着筒部には、前記容器側開口に向けて漸次縮径するとともに、前記容器側開口の開口縁に連なり、内容物を前記容器側開口に案内するホッパー部が連設され、
容器軸方向から見た平面視において、前記注出口は前記ストック側開口に対して離れた位置に配設されていることを特徴とする容器。
【請求項２】
内容物が収容される容器本体と、
前記容器本体の口部に装着されるとともに、前記容器本体内に向けて開口する容器側開口を有する装着筒部と、
前記内容物をストックするストック室を有するとともに、該ストック室内に向けて開口するストック側開口を有するストック筒部と、
前記装着筒部及び前記ストック筒部の間に配置されるとともに、前記容器側開口及び前記ストック側開口に連通可能な連通孔を有し、容器軸方向に交差する交差面上をスライドするスライド部材と、を備え、
前記スライド部材は、前記連通孔と前記ストック側開口との間の連通を遮断し、かつ前記連通孔と前記容器側開口との間を連通させる待機位置と、
前記連通孔と前記ストック側開口との間を連通させ、かつ前記連通孔と前記容器側開口との間の連通を遮断し、前記待機位置において前記容器側開口を通して前記連通孔内に供給される内容物を、前記ストック側開口を通して前記ストック室内に供給する連通位置と、の間をスライド移動可能に配設され、
前記待機位置に向けて前記スライド部材を復元変位させる付勢手段を備え、
前記ストック筒部には、前記ストック室内にストックされる前記内容物を注出可能に開閉される注出口が形成され、
前記装着筒部には、前記容器側開口に向けて漸次縮径するとともに、前記容器側開口の開口縁に連なり、内容物を前記容器側開口に案内するホッパー部が連設され、
容器軸方向から見た平面視において、前記注出口は前記ストック側開口に対して離れた位置に配設されていることを特徴とする容器。
【発明の詳細な説明】
【技術分野】
【０００１】
本発明は、容器に関するものである。
【背景技術】
【０００２】
従来から、例えば、容器本体内に収容される薬剤等の内容物を所定量取り出すための容器が知られている。
このような容器として、例えば特許文献１に示される容器は、容器本体の口部内に装着される栓体を備えている。栓体は、その中心部で錠剤を限定的に通過可能とする筒状部を有し、この筒状部内を前後に二分する垂直壁によって錠剤計量室と錠剤通過可能な開口とが形成され、筒状部内にヒンジで支持された蓋板が、錠剤計量室の上方を覆う計量姿勢と、開口を閉塞するとともに錠剤計量室の上方を開放状態とする錠剤放出姿勢と、の間で揺動自在とされている。
【０００３】
このような構成からなる容器では、栓体の蓋板を前方に倒して計量姿勢としておき、この状態で容器を傾けると、容器本体内の錠剤が錠剤計量室内に所定量だけ案内される。次いで、容器を起すとともに、蓋板を後方に倒して錠剤放出姿勢とする。これにより、錠剤計量室が外部に開放状態となるとともに、栓体の開口が蓋板によって閉塞された状態となる。この錠剤放出姿勢のまま、容器を再度傾けると、容器本体内の錠剤は蓋板によってせき止められる一方、錠剤計量室内の錠剤のみが外部に取り出される。
【先行技術文献】
【特許文献】
【０００４】
【特許文献１】特開２００７−３１９２０５号公報
【発明の概要】
【発明が解決しようとする課題】
【０００５】
しかしながら、上述した従来の容器にあっては、操作性を向上させることについて改善の余地があった。
【０００６】
本発明は、このような事情に鑑みてなされたものであって、その目的は、操作性の向上を図ることができる容器を提供することである。
【課題を解決するための手段】
【０００７】
上記の目的を達成するために、本発明は以下の手段を提供している。
本発明に係る容器は、内容物が収容される容器本体と、前記容器本体の口部に装着されるとともに、前記容器本体内に向けて開口する容器側開口を有する装着筒部と、前記内容物をストックするストック室を有するとともに、該ストック室内に向けて開口するストック側開口を有するストック筒部と、前記装着筒部及び前記ストック筒部の間に配置されるとともに、前記容器側開口及び前記ストック側開口に連通可能な連通孔を有し、容器軸方向に交差する交差面上をスライドするスライド部材と、を備え、前記スライド部材は、前記連通孔を通した前記容器側開口及び前記ストック側開口の間の連通を遮断する待機位置と、前記連通孔を通して前記容器側開口及び前記ストック側開口の間を連通させ、前記容器側開口を通して前記連通孔内に供給される内容物を、前記ストック側開口を通して前記ストック室内に供給する連通位置と、の間をスライド移動可能に配設され、前記待機位置に向けて前記スライド部材を復元変位させる付勢手段を備え、前記ストック筒部には、前記ストック室内にストックされる前記内容物を注出可能に開閉される注出口が形成され、前記装着筒部には、前記容器側開口に向けて漸次縮径するとともに、前記容器側開口の開口縁に連なり、内容物を前記容器側開口に案内するホッパー部が連設され、容器軸方向から見た平面視において、前記注出口は前記ストック側開口に対して離れた位置に配設されていることを特徴とする。
【０００８】
本発明に係る容器によれば、スライド部材を待機位置と連通位置との間で切り替えることで、スライド部材の連通孔と、容器側開口及びストック側開口と、を連通させることができる。
この場合、スライド部材の連通孔と容器側開口とを連通させることで、容器本体内に収容される内容物が容器側開口を通して連通孔内に流出する。また、連通孔とストック側開口とを連通させることで、連通孔内に存在する内容物がストック側開口を通してストック室内に流出する。これにより、容器本体内の内容物をストック室内にストックできる。
そして、容器本体内の内容物を一旦ストック室に所定量だけストックした後、ストック室内の内容物を注出するので、注出時において容器本体内の余分の内容物が零れ出るのを防止できる。このとき、ストック室でストックされた内容物を注出口から注出するので、内容物がストック室から一気に零れ出るのを防止できる。
また、本発明に係る容器によれば、容器本体とストック室とが独立して配設され、これら容器本体とストック室との連通、遮断をスライド部材の連通孔によって切り替えているので、ストック時には容器側開口とストック側開口とを連通孔により連通させた後、連通孔を通して内容物をストック室に供給することになる。よって、ストック室内に所定量の内容物を正確に供給できる。
しかも、スライド部材が付勢手段により待機位置に向けて付勢されているので、注出時に容器本体内とストック室内との連通が遮断される。これにより、ストック室内のストック分だけを確実に注出できる。また、未使用時においては、容器本体とストック室との間で内容物が行き来する虞がないので、ストック室内にストックされる内容物のストック量を維持できる。
したがって、容器の操作性の向上を図ることができる。
【００１０】
この場合には、連通位置において、連通孔を介して容器側開口とストック側開口との間を連通させることで、容器本体の内容物がストック室に一気に流入することになるので、容器本体内の内容物をストック室内に向けて効率よく供給できる。
【００１１】
本発明に係る容器は、内容物が収容される容器本体と、前記容器本体の口部に装着されるとともに、前記容器本体内に向けて開口する容器側開口を有する装着筒部と、前記内容物をストックするストック室を有するとともに、該ストック室内に向けて開口するストック側開口を有するストック筒部と、前記装着筒部及び前記ストック筒部の間に配置されるとともに、前記容器側開口及び前記ストック側開口に連通可能な連通孔を有し、容器軸方向に交差する交差面上をスライドするスライド部材と、を備え、前記スライド部材は、前記連通孔と前記ストック側開口との間の連通を遮断し、かつ前記連通孔と前記容器側開口との間を連通させる待機位置と、前記連通孔と前記ストック側開口との間を連通させ、かつ前記連通孔と前記容器側開口との間の連通を遮断し、前記待機位置において前記容器側開口を通して前記連通孔内に供給される内容物を、前記ストック側開口を通して前記ストック室内に供給する連通位置と、の間をスライド移動可能に配設され、前記待機位置に向けて前記スライド部材を復元変位させる付勢手段を備え、前記ストック筒部には、前記ストック室内にストックされる前記内容物を注出可能に開閉される注出口が形成され、前記装着筒部には、前記容器側開口に向けて漸次縮径するとともに、前記容器側開口の開口縁に連なり、内容物を前記容器側開口に案内するホッパー部が連設され、容器軸方向から見た平面視において、前記注出口は前記ストック側開口に対して離れた位置に配設されていることを特徴とする。
【００１２】
この場合には、待機位置において、連通孔と容器側開口とを連通させることで、容器本体内の内容物が容器側開口を通って連通孔内に供給される。その後、連通位置において、連通孔とストック側開口とを連通させることで、連通孔内に供給された内容物がストック室内に供給される。
これにより、ストック室内に一定量（連通孔内に供給された量）ずつ内容物を供給できるので、所望の量の内容物を正確に供給できる。
【発明の効果】
【００１３】
本発明に係る容器によれば、容器本体内の内容物を一旦ストック室に所定量だけストックした後、ストック室内の内容物を注出するので、注出時において容器本体内の余分の内容物が零れ出るのを防止できる。このとき、ストック室でストックされた内容物を注出口から注出するので、内容物がストック室から一気に零れ出るのを防止できる。
また、本発明に係る容器によれば、容器本体とストック室とが独立して配設され、これら容器本体とストック室との連通、遮断をスライド部材の連通孔によって切り替えるので、ストック時には容器側開口とストック側開口とを連通孔により連通させた後、連通孔を通して内容物をストック室に供給することになる。よって、ストック室内に所定量の内容物を正確に供給できる。
しかも、スライド部材が付勢手段により待機位置に向けて付勢されているので、注出時に容器本体内とストック室内との連通が遮断される。これにより、ストック室内のストック分だけを確実に注出できる。また、未使用時においては、容器本体とストック室との間で内容物が行き来する虞がないので、ストック室内にストックされる内容物のストック量を維持できる。
したがって、容器の操作性の向上を図ることができる。
【図面の簡単な説明】
【００１４】
【図１】本発明の実施形態に係る容器を示しており、（ａ）は横断面図、（ｂ）は（ａ）のＡ−Ａ線に沿う縦断面図である。
【図２】本発明の実施形態に係る容器を示しており、（ａ）は横断面図、（ｂ）は（ａ）のＢ−Ｂ線に沿う縦断面図である。
【図３】図１（ｂ）に相当する図であって、容器の使用方法を説明するための説明図である。
【図４】本発明の他の構成に係る容器を示す縦断面図である。
【図５】図４に相当する図であって、容器の使用方法を説明するための説明図である。
【発明を実施するための形態】
【００１５】
以下、本発明に係る容器の実施形態について図面を参照して説明する。
図１，図２に示すように、本実施形態の容器１は、粉末状等の内容物が収容される容器本体２と、容器本体２の口部３に装着されたストック部材４と、を備えている。なお、上述した容器本体２、及びストック部材４は、それぞれの中心軸線が共通軸上に位置された位置で配設されている。本実施形態ではこの共通軸を容器軸Ｏといい、上述した容器１において、容器軸Ｏに沿ったストック部材４側を上側、容器本体２側を下側という。また、容器軸Ｏに直交する方向を径方向といい、容器軸Ｏ回りに周回する方向を周方向という。
【００１６】
容器本体２は、上述した口部３と、口部３の下端で拡径された胴部５と、胴部５の下端部を閉塞する底部６と、を備えている。また、口部３の外周面には、ストック部材４を螺合により装着するための雄ネジ部７が形成されている。なお、容器本体２の形状については、特に限定されないものの、使用する際に持ち易いものが好ましい。また、ストック部材４と容器本体２とは、着脱可能に構成されていれば、螺合に限られることはない。
【００１７】
ストック部材４は、容器本体２の口部３に装着される装着筒部１１と、装着筒部１１の上方に配置されて、内容物がストックされるストック室１２を有するストック筒部１３と、装着筒部１１及びストック筒部１３の間に配設されたスライド機構１４と、ストック筒部１３における上方開口部１３ａに設けられ、内容物を注出する注出口１５を有するエンドプレート１６と、注出口１５を開閉可能に覆うオーバーキャップ１７と、を備えている。なお、ストック部材４は、ストック室１２内を視認可能とするため、透明や半透明な材料により形成してもよい。この場合、少なくともストック筒部１３の一部あるいは全部に透明や半透明な部位を設ければよい。
【００１８】
装着筒部１１は、口部３を閉塞するように形成された有頂筒状とされ、容器軸Ｏと同軸に配設された周壁部２１を備えている。周壁部２１には、上述した容器本体２における口部３の雄ネジ部７に螺合する雌ネジ部２２が形成されている。また、周壁部２１の上端部には、周方向の全周に亘って径方向の内側に突出したフランジ状の当接片２３が連設され、ストック部材４の装着時に口部３の上端面に当接可能に構成されている。
当接片２３の内周縁には、上方に向けて漸次縮径する円錐状のホッパー部２４が連設されている。そして、ホッパー部２４の頂点部分（上端部）には、容器軸Ｏ方向に沿って貫通して容器本体２内に向けて開口する容器側開口２５が形成されている。容器側開口２５の中心軸は、容器軸Ｏと同軸に配されている。
【００１９】
スライド機構１４は、角筒部３１と、角筒部３１内をスライド移動可能なスライド部材３２と、角筒部３１内に設けられてスライド部材３２を付勢するコイルばね等の付勢手段３３と、を備えている。
角筒部３１は、ホッパー部２４における上端部（容器側開口２５の外周縁）に連設され、上述した容器本体２は容器側開口２５を介して角筒部３１内に連通している。角筒部３１は、軸方向（以下、角筒軸Ｏ’方向という）を径方向のうちの一方向に一致させた状態で延在している。角筒部３１における角筒軸Ｏ’方向の両端部のうち、一端側はストック部材４のストック筒部１３と面一とされ、他端側は装着筒部１１の周壁部２１よりも径方向外側まで延びている。具体的に、角筒部３１は、角筒軸Ｏ’方向に長い長方形状の下壁部３４と、下壁部３４の短手方向両端部から上方に向けて立設される一対の側壁部３５と、側壁部３５の上端部同士を連結する上壁部３６と、上述した各壁部３４〜３６を角筒軸Ｏ’方向の一端側で連結する後壁部３７と、を備えている。すなわち、角筒部３１は角筒軸Ｏ’方向の他端側に向けて開放されている。
【００２０】
上壁部３６には、上面視で容器側開口２５と重なる位置に、ストック室１２と角筒部３１とを連通させるストック側開口３８が形成されている。ストック側開口３８は、上述した容器側開口２５と同径に形成されている。
後壁部３７には、角筒部３１内を角筒軸Ｏ’方向の他端側に向けて延在する軸部３９が形成されている。
【００２１】
スライド部材３２は、角筒部３１と同軸上に配された角筒状の部材であり、角筒部３１内を角筒軸Ｏ’方向（容器軸Ｏに直交する径方向）に沿ってスライド移動可能に構成されている。具体的に、スライド部材３２は、角筒部３１における角筒軸Ｏ’方向の他端側を囲繞するように配置された外筒４１と、角筒部３１内に挿入される内筒４２と、外筒４１及び内筒４２の角筒軸Ｏ’方向の他端側同士を連設する矩形枠状の連結部４３と、を備えている。
内筒４２における角筒軸Ｏ’方向における中途部には、連通筒部４４が形成されている。連通筒部４４は、容器軸Ｏ方向に沿って平行に延在するとともに、上述した容器側開口２５及びストック側開口３８と同径に形成された連通孔４４ａを有している。
【００２２】
この場合、連通筒部４４の連通孔４４ａが容器軸Ｏ方向に一致するようにスライド部材３２をスライドさせる（スライド部材３２を角筒部３１内に押し込む）ことで、スライド部材３２は、連通孔４４ａを介して容器側開口２５(容器本体２内)とストック側開口３８（ストック室１２）とが連通した連通位置となる。本実施形態では、連通位置において、内筒４２の角筒軸Ｏ’方向一端側の端部と後壁部３７とが当接するように設定されている。
一方で、連通筒部４４の連通孔４４ａが容器軸Ｏ方向とオフセットする方向にスライド部材３２をスライドさせる（スライド部材３２を角筒部３１内から引き抜く）ことで、スライド部材３２は、容器側開口２５及びストック側開口３８が内筒４２により閉塞されて、容器本体２内とストック筒部１３内とが遮断された待機位置となる。すなわち、本実施形態のスライド部材３２は、上述した連通位置及び待機位置との間でスライド移動可能とされている。
【００２３】
また、スライド部材３２の内筒４２と、角筒部３１の後壁部３７との間には、付勢手段３３が配設されている。付勢手段３３は、一端側が軸部３９に外装されて後壁部３７に当接している一方で、他端側が内筒４２内に挿入されて連通筒部４４に当接している。付勢手段３３は、スライド部材３２が上述した待機位置に弾性変位しうるように、スライド部材３２を角筒部３１から突出させる方向に付勢している。すなわち、容器１が未使用の場合には、スライド部材３２は待機位置にある。なお、付勢手段３３は、内筒４２と一体に設けても構わない。
【００２４】
ストック筒部１３は、容器軸Ｏ方向に延在する円筒状に形成されている。ストック筒部１３の下端部において、周方向で角筒部３１と交差する部位は、角筒部３１の上壁部３６に連設され、それ以外の部位はホッパー部２４の上端部と容器軸Ｏ方向における同位置にまで延在している。すなわち、ストック筒部１３は、角筒部３１を径方向の外側から取り囲むように配置されている。そして、ストック筒部１３の下端部には、下壁部３４との間を接続する底壁部５１（図２参照）が形成されている。これにより、ストック筒部１３の下端が閉塞されている。なお、底壁部５１とホッパー部２４との間には、リブ５２が形成されている。
【００２５】
エンドプレート１６は、ストック筒部１３の上方開口部１３ａを閉塞する栓状の部材であり、ストック筒部１３の上方開口部１３ａ内に嵌合されたシール筒部５３と、シール筒部５３の上端部に接続されてシール筒部５３を閉塞するシール体５４と、を備えている。
シール体５４における外周縁は、シール筒部５３よりも径方向の外側に張り出し（ストック筒部１３と面一）、ストック筒部１３の上端面に当接している。シール体５４の外周側には、ストック筒部１３内にストックされる内容物を注出する注出口１５が形成されている。なお、注出口１５の内径は、シール筒部５３の内径よりも小さく形成されている。また、注出口１５の外周縁には、上方に向けて容器軸Ｏと平行に延在する注出筒部５６が形成されている。注出筒部５６は、注出口１５を取り囲むように配置されるとともに、注出筒部５６の上端部には内側に向けて突出する環状の係合突部５７が形成されている。そして、上述したストック筒部１３、底壁部５１、及びエンドプレート１６で囲まれた空間が上述したストック室１２を構成している。
【００２６】
オーバーキャップ１７は、注出口１５を覆うように形成された有頂筒状とされ、その天板部６１の外周側には、封止筒部６２が形成されている。封止筒部６２は、注出筒部５６よりも小径とされるとともに、注出筒部５６と上面視で重なるに位置において、下方に向けて延在している。そして、封止筒部６２は、閉位置において上述した注出筒部５６の係合突部５７にアンダーカット嵌合または圧接される。これにより、封止筒部６２は、注出筒部５６（注出口１５）を封止するようになっている。
【００２７】
オーバーキャップ１７は、周壁部６４の下端部分における周方向の一部で、エンドプレート１６にヒンジ部（図２参照）６３を介して連結されている。これにより、オーバーキャップ１７はヒンジ部６３を中心に回動して、注出筒部５６（注出口１５）を開閉可能としている。なお、オーバーキャップ１７とストック筒部１３とを一体に形成し、オーバーキャップ１７とエンドプレート１６とを別体に形成しても構わない。また、オーバーキャップ１７は、ヒンジ部６３を介して連結する構成に限られない。この場合、例えばオーバーキャップ１７を独立して設けても構わない。
また、周壁部６４の下端部分には、ヒンジ部６３と径方向で対向する位置に径方向の外側に向けて操作片６６が形成されている。
【００２８】
次に、本実施形態の容器の使用方法について説明する。なお、使用前の容器１は、ストック部材４が上方を向いた起立状態（図１，２の状態）で載置されるとともに、スライド部材３２は待機位置にあるものとする。
まず図１，図２に示すように、起立状態にある容器１の容器本体２を把持して、スライド部材３２を角筒部３１内に向けて押し込む。具体的に、内筒４２における角筒軸Ｏ’方向の一端側が後壁部３７に当接するまでスライド部材３２をスライドさせる。これにより、連通筒部４４の連通孔４４ａが容器軸Ｏ方向に一致し、連通孔４４ａを介して容器側開口２５（容器本体２）とストック側開口３８（ストック室１２）とが連通した連通位置となる。
【００２９】
そして、図３に示すように、連通位置の容器１を上下反転させてストック部材４が下方を向いた倒立状態とする。すると、容器本体２内に収容された内容物Ｗ（例えば、粉末状の内容物）がホッパー部２４により容器側開口２５に向けて案内される。容器側開口２５に案内された内容物Ｗは、容器側開口２５を通って容器本体２から流出し、連通筒部４４の連通孔４４ａ及びストック側開口３８を通ってストック室１２内に導かれる。これにより、容器本体２内の内容物Ｗをストック室１２内に供給できる。
【００３０】
ストック室１２に所定量の内容物Ｗが供給されたら、スライド部材３２の押圧を解除する。スライド部材３２は、付勢手段３３によって待機位置に弾性変位するように付勢されているため、押圧を解除されたスライド部材３２は自動的に待機位置に戻る方向にスライドする。この時、スライド部材３２が待機位置に向けてスライドすると、連通筒部４４の連通孔４４ａが容器軸Ｏ方向とオフセットして、容器側開口２５及びストック側開口３８が内筒４２により閉塞される。これにより、容器本体２内とストック筒部１３内とが遮断された待機位置となる。
【００３１】
次に、容器１を起立状態に戻した後、操作片６６を把持してオーバーキャップ１７を引き上げる。すると、オーバーキャップ１７がヒンジ部６３を中心に回動することで、注出筒部５６と封止筒部６２との嵌合が解除される。これにより、オーバーキャップ１７が開位置となり、注出口１５（注出筒部５６）が開放される。
【００３２】
最後に、注出口１５（注出筒部５６）が開放された容器１を傾けることで、ストック室１２にストックされた内容物を注出口１５から外部に注出される。
【００３３】
このように、本実施形態では、容器本体２内とストック室１２内とを連通させる連通位置と、容器本体２内とストック室１２内とを遮断する待機位置と、の間でスライド部材３２をスライド移動可能とするとともに、ストック室１２にストックされた内容物を注出する注出口１５を形成する構成とした。
この構成によれば、容器本体２内の内容物Ｗを一旦ストック室１２に所定量だけストックした後、ストック室１２内の内容物Ｗを注出するので、注出時において容器本体２内の余分の内容物Ｗが零れ出るのを防止できる。このとき、ストック室１２でストックされた内容物Ｗを注出口１５から注出するので、内容物Ｗがストック室１２から一気に零れ出るのを防止できる。
【００３４】
また、容器本体２とストック室１２とが独立して配設され、これら容器本体２とストック室１２との連通、遮断をスライド部材３２の連通孔４４ａによって切り替えているので、ストック時には容器側開口２５とストック側開口３８とを連通孔４４ａにより連通させた後、連通孔４４ａを通して内容物Ｗをストック室１２に供給することになる。よって、ストック室１２内に所定量の内容物Ｗを正確に供給できる。
また、スライド部材３２が付勢手段３３により待機位置に向けて付勢されているので、注出時に容器本体２内とストック室１２内との連通が遮断される。これにより、ストック室１２内のストック分だけを確実に注出できる。また、未使用時においては、容器本体２とストック室１２との間で内容物Ｗが行き来する虞がないので、ストック室１２内にストックされる内容物Ｗのストック量を維持できる。
【００３５】
しかも、連通位置において、連通孔４４ａを介して容器側開口２５とストック側開口３８との間を連通させることで、容器本体２の内容物Ｗがストック室１２に一気に流入することになるので、容器本体２内の内容物Ｗをストック室１２内に向けて効率よく供給できる。
したがって、容器１の操作性の向上を図ることができる。
【００３６】
なお、本発明の技術範囲は、上述した実施形態に限定されるものではなく、本発明の趣旨を逸脱しない範囲において、種々の変更を加えることが可能である。
例えば、上述した実施形態では、連通位置において連通孔４４ａ、容器側開口２５、及びストック側開口３８を介して、容器本体２内とストック室１２内とを連通させる構成について説明したが、これに限られず、待機位置において、容器側開口２５及びストック側開口３８のうち、少なくとも一方の開口、及び連通孔４４ａの間を遮断し、連通位置において、少なくとも一方の開口、及び連通孔４４ａを連通させる構成であれば構わない。
このような構成として、例えば、図４に示す容器１００は、容器側開口１２５が容器軸Ｏに対して径方向でオフセットされている。すなわち、容器側開口１２５とストック側開口３８とが径方向でオフセットされて形成されている。この場合、待機位置おいて、連通筒部４４と容器側開口１２５とが同軸上に配され、連通筒部４４の連通孔４４ａ内と容器側開口１２５（容器本体２内）とが連通している。
【００３７】
この構成によれば、スライド部材３２を待機位置にしたまま、容器１を倒立状態にすると、容器本体２内の内容物Ｗがホッパー部２４により容器側開口１２５に案内される。容器側開口１２５に案内された内容物Ｗは、容器側開口１２５を通って容器本体２から流出し、連通筒部４４の連通孔４４ａ内に供給される。
その後、図５に示すように、スライド部材３２を押し込んで連通位置とすると、ストック側開口３８と連通筒部４４とが同軸上に配され、ストック室１２内と連通孔４４ａ内とが連通する。すると、連通孔４４ａ内に存在する内容物Ｗがストック側開口３８を通ってストック室１２内に流出する。そして、この作業を繰り返すことで、ストック室１２内に一定量（連通孔４４ａ内に供給された量）ずつ内容物Ｗを供給できるので、所望の量の内容物Ｗを正確に供給できる。
【００３８】
また、上述した実施形態では、スライド部材３２を径方向（角筒軸Ｏ’方向）にスライドさせる構成としたが、これに限らず、容器軸Ｏ方向に交差する構成であれば構わない。例えば、装着筒部１１とストック筒部１３との間に、周方向に沿ってスライド移動可能なスライド部材を設けても構わない。
【００３９】
さらに、上述した実施形態では、スライド部材に連通筒部４４を一つのみ設けた場合について説明したが、これに限らず、内径の異なる複数の連通筒部を形成してもよい。各連通筒部によってストック室１２内への注出量を異ならせてもよい。
また、上述した実施形態では、粉末状の内容物を注出する場合について説明したが、これに限らず、錠剤等の内容物についても適用可能である。
さらに、上述した実施形態では、ストック筒部１３とエンドプレート１６とを別体で形成する場合について説明したが、これに限らず、両者を一体で形成しても構わない。
【符号の説明】
【００４０】
Ｏ…容器軸
Ｏ’…角筒軸
２…容器本体
３…口部
４…ストック部材
１２…ストック室
１５…注出口
２５…容器側開口
３２…スライド部材
３３…付勢手段
３８…ストック側開口
４４ａ…連通孔
【図１】
0005886520.tif 000002
【図２】
0005886520.tif 000003
【図３】
0005886520.tif 000004
【図４】
0005886520.tif 000005
【図５】
0005886520.tif 000006